(57)【要約】【課題】貯留槽内の水の水面に浮遊する破砕ごみにより搬送ポンプのオン／オフを行う水位スイッチが誤動作することがなく、また、水面に浮遊する破砕ごみを搬送ポンプにより確実に貯留槽外へ搬送することができるディスポーザを提供する。【解決手段】破砕ごみを通過させないフィルター６０を用いて貯留槽３を第１槽３ａ及び第２槽３ｂに分離する。破砕槽２から送出管２５により第１槽３ａへ破砕ごみ及び水を搬送する構成とし、水位スイッチ４０は第２槽３ｂ内に配設する。搬送ポンプ３０の吸込口は、貯えられた水の水面に交差するように、第１槽３ａに開口させる。水位スイッチ４０のオフスイッチ４２は、搬送ポンプ３０の吸込口の上端より下の位置を水位の検知位置に設定する。【選択図】図１
2007209875.tif 000002
【特許請求の範囲】
【請求項１】
生ごみを破砕する破砕槽から水と共に搬送された破砕ごみを貯留する貯留槽と、該貯留槽内に配され、破砕ごみを水と共に外部に搬送する搬送ポンプと、前記貯留槽内に貯えられた水の水位を検知して前記搬送ポンプの動作の起動／停止を行う水位スイッチとを備えるディスポーザにおいて、
前記貯留槽内に貯えられた水の水面と交差するように配設され、前記貯留槽を第１槽及び第２槽に分離し、破砕ごみを通過させずに水を通過させるフィルターを備え、
前記破砕槽からの破砕ごみ及び水が前記第１槽に搬送されるようにしてあり、
前記水位スイッチは、前記第２槽に配設してあること
を特徴とするディスポーザ。
【請求項２】
前記搬送ポンプは、破砕ごみを水と共に吸い込む吸込口を有し、
該吸込口が、前記第１槽に設けてある請求項１に記載のディスポーザ。
【請求項３】
前記搬送ポンプは、破砕ごみを水と共に吸い込む吸込口を有し、
該吸込口が、前記貯留槽に貯えられた水の水面に交差するように開口してある請求項１又は請求項２に記載のディスポーザ。
【請求項４】
前記水位スイッチは、水位を検知して前記搬送ポンプの動作を開始させる起動スイッチと、動作を停止させる停止スイッチとを有し、
該停止スイッチは、前記搬送ポンプの吸込口の上端より下の位置を、水位の検知位置としてある請求項３に記載のディスポーザ。
【請求項５】
前記起動スイッチは、前記停止スイッチの検知位置より上の位置を、水位の検知位置としてある請求項４に記載のディスポーザ。
【請求項６】
前記搬送ポンプは、搬送動作を行うためのモータを有し、
該モータが前記水位スイッチの水位の検知位置より下の位置となるように、前記搬送ポンプが配設してある請求項１乃至請求項５のいずれか１つに記載のディスポーザ。
【発明の詳細な説明】
【技術分野】
【０００１】
本発明は、破砕された生ごみを水と共に貯留し、例えば、有機物を分解処理する処理槽に搬出するように構成されたディスポーザに関する。
【背景技術】
【０００２】
近年、一般家庭及び飲食店等の厨房に発生する生ごみの処理を目的とした生ごみ処理機が普及している。この種の生ごみ処理機の一つとして、生ごみを破砕するディスポーザを利用し、ディスポーザによる破砕ごみを処理槽に搬入して分解するように構成された生ごみ処理機がある。この生ごみ処理機は、ディスポーザにより粒状に破砕された破砕ごみを処理対象としており、例えば、学校又は会社の食堂、あるいは大規模飲食店等の処理要求量が多い業務用の生ごみ処理機として有用である。
【０００３】
図６は、従来のディスポーザの構成を示す模式的縦断面図である。図において１は略矩形の箱形をなす外筐であり、外筐１の内部は隔壁１ａによって破砕槽２及び貯留槽３の２つの空間に二分されている。破砕槽２は、上部の略全面にわたって開口する生ごみの投入口２０を備えており、投入口２０から投入された生ごみは破砕室２２へ導かれて破砕されるようにしてある。破砕室２２には送出管２５が連設され、送出管２５の先端は隔壁１ａに形成された貫通孔を通して貯留槽３内へ延出されており、破砕室２２にて破砕された生ごみ（破砕ごみ）が水道の蛇口１００から供給される水と共に送出管２５を通して貯留槽３へ送出されるようにしてある。
【０００４】
貯留槽３は外部から隔絶された中空の槽であり、貯留槽３の内部には、水中ポンプを用いてなる搬送ポンプ３０が、下面に開口する図示しない吸込口を、貯留槽３の底部から適長離して固定されている。搬送ポンプ３０の吐出管３１は、貯留槽３の底部から上方に離れた位置にて一側壁を貫通して外部に延出され、逆止弁５１を介して搬送管５２に連結されている。また、搬送ポンプ３０は、貯留槽３内の水位を検出して搬送動作のオン／オフを行う水位スイッチ４０を備えており、送出管２５を通して破砕室２２から搬送された破砕ごみ及び水が所定の水位以上に達した場合に搬送ポンプ３０が起動し、貯留槽３内に貯えられた破砕ごみ及び水を吐出管３１、逆止弁５１及び搬送管５２を通して外部に設けられた処理槽へ搬送するようにしてある。破砕ごみ及び水が搬送ポンプ３０により搬送され、所定の水位以下に達した場合には、搬送ポンプ３０の動作を停止するようにしてある。
【０００５】
また、特許文献１においては、ディスポーザからの粉砕生ごみを含む排水を中継ポンプ槽を介して固液分離槽に一旦貯留し、固液分離槽に沈殿した沈殿物を固液分離装置に移送して固体分又は液体分に分離し、分離した液体分を固液分離槽へ戻し、固液分離槽の上澄み液を処理槽で曝気処理し、曝気処理された処理水に含まれる汚泥を沈殿分離槽で沈殿させ、沈殿分離槽の上澄み液を下水などに放流し、沈殿した汚泥は固液分離槽に返送して粉砕生ごみと共に固液分離装置に移送して回収するようにしたディスポーザ排水処理システムが提案されている。
【特許文献１】特開２００４−１０５８８１号公報
【発明の開示】
【発明が解決しようとする課題】
【０００６】
しかしながら、図６に示した従来のディスポーザにおいては、搬送ポンプ３０の下面に吸込口が設けられ、貯留槽３の底部に貯まった破砕ごみ及び水を搬送する構成であるため、水より軽く、水面に浮かぶ破砕ごみは搬送ポンプ３０によって搬送されることなく、水面に滞留し、腐敗して臭気が発生するという問題があった。
【０００７】
また、搬送ポンプ３０のオン／オフを行う水位スイッチ４０は、例えば、水面の上下に連動するフロートによって水位を検知する構成（所謂フロートスイッチ）であり、水面に破砕ごみが浮遊している場合には、フロートが水面の破砕ごみに乗り上げ、搬送ポンプ３０のオン／オフを正確な水位で行うことができず、ディスポーザが正常動作できない虞があった。
【０００８】
特許文献１に記載のディスポーザ排水処理システムは、中継ポンプ槽から固液分離槽へ粉砕生ごみを移送する場合に上述の問題と同様の問題が発生する虞があり、また、粉砕生ごみを含む排水を固液分離槽に貯留して沈殿物のみを固液分離装置にて処理する構成であるため、この場合にも水面に浮遊する軽いごみを処理できない虞がある。
【０００９】
本発明は、斯かる事情に鑑みてなされたものであって、その目的とするところは、破砕槽から水と共に搬送されて貯留槽内に貯えられた破砕ごみを、搬送ポンプにより外部へ搬送する場合に、破砕ごみを通過させずに水を通過させるフィルターを水面に交差する方向に配設して貯留槽を第１槽及び第２槽に分離し、破砕槽からの破砕ごみ及び水を第１槽に搬送し、搬送ポンプの動作をオン／オフする水位スイッチを第２槽に設ける構成とすることにより、水面に浮遊する破砕ごみにより水位スイッチが誤動作する虞のないディスポーザを提供することにある。
【００１０】
また本発明の他の目的とするところは、搬送ポンプの吸込口を第１槽に設ける構成とすることにより、フィルターにより第１槽内にのみ貯留される破砕ごみを確実に外部へ搬送することができるディスポーザを提供することにある。
【００１１】
また本発明の他の目的とするところは、搬送ポンプの吸込口を貯留槽に貯えられた水の水面に交差するように開口させる構成とすることにより、水面に浮遊する破砕ごみを確実に吸い込んで搬送することができるディスポーザを提供することにある。
【００１２】
また本発明の他の目的とするところは、水位を検知して搬送ポンプの動作のオン／オフを行う水位スイッチのうち、動作をオフする停止スイッチの検知位置を、搬送ポンプの吸込口の上端より下の位置とすることにより、水面に浮遊する破砕ごみを確実に吸い込むように搬送ポンプを動作させることができるディスポーザを提供することにある。
【００１３】
また本発明の他の目的とするところは、水位を検知して搬送ポンプの動作のオン／オフを行う水位スイッチのうち、動作をオンする起動スイッチの検知位置を、停止スイッチの検知位置より上の位置とすることにより、搬送ポンプを正確に動作させることができるディスポーザを提供することにある。
【００１４】
また本発明の他の目的とするところは、搬送ポンプの搬送動作を行うためのモータが、水位スイッチの検知位置より下の位置となるように、搬送ポンプを貯留槽内に配設する構成とすることにより、搬送ポンプの動作に伴ってモータの温度が上昇することを防止できるディスポーザを提供することにある。
【課題を解決するための手段】
【００１５】
本発明に係るディスポーザは、生ごみを破砕する破砕槽から水と共に搬送された破砕ごみを貯留する貯留槽と、該貯留槽内に配され、破砕ごみを水と共に外部に搬送する搬送ポンプと、前記貯留槽内に貯えられた水の水位を検知して前記搬送ポンプの動作の起動／停止を行う水位スイッチとを備えるディスポーザにおいて、前記貯留槽内に貯えられた水の水面と交差するように配設され、前記貯留槽を第１槽及び第２槽に分離し、破砕ごみを通過させずに水を通過させるフィルターを備え、前記破砕槽からの破砕ごみ及び水が前記第１槽に搬送されるようにしてあり、前記水位スイッチは、前記第２槽に配設してあることを特徴とする。
【００１６】
本発明においては、破砕槽から水と共に搬送された破砕ごみを貯える貯留槽を、破砕ごみを通過させないフィルターを水面に交差する方向に配設して、第１槽及び第２槽の２つの槽に分離する。破砕槽からの破砕ごみ及び水は第１槽に搬送し、水位スイッチを第２槽に配設することにより、第２槽は破砕槽からの破砕ごみが侵入することがなく、破砕ごみと共に搬送された水のみで満たされるため、水面に浮遊する破砕ごみにより水位スイッチが誤動作することがなく、搬送ポンプを所定の水位で正確に動作させることができる。
【００１７】
また、本発明に係るディスポーザは、前記搬送ポンプが、破砕ごみを水と共に吸い込む吸込口を有し、該吸込口が、前記第１槽に設けてあることを特徴とする。
【００１８】
本発明においては、搬送ポンプの吸込口を第１槽に設ける。フィルターにより第１槽のみに貯留された破砕ごみが、搬送ポンプの吸込口から吸い込まれて確実に外部へ搬送される。
【００１９】
また、本発明に係るディスポーザは、前記搬送ポンプが、破砕ごみを水と共に吸い込む吸込口を有し、該吸込口が、前記貯留槽に貯えられた水の水面に交差するように開口してあることを特徴とする。
【００２０】
本発明においては、搬送ポンプの吸込口を、貯留槽に貯えられた水の水面に交差するように開口させる。搬送ポンプの吸込口を搬送ポンプの下面に設けた場合には、水面に浮遊する破砕ごみを吸い込むことが困難であるが、吸込口が水面に交差するため、水面に浮遊する破砕ごみを簡単に吸い込むことができる。
【００２１】
また、本発明に係るディスポーザは、前記水位スイッチが、水位を検知して前記搬送ポンプの動作を開始させる起動スイッチと、動作を停止させる停止スイッチとを有し、該停止スイッチは、前記搬送ポンプの吸込口の上端より下の位置を、水位の検知位置としてあることを特徴とする。
【００２２】
本発明においては、水位を検知して搬送ポンプの動作のオン／オフを行う水位スイッチのうち、動作をオフする停止スイッチの検知位置を、搬送ポンプの吸込口の上端より下の位置に設定する。これにより、水位が搬送ポンプの吸込口の上端以下となり、水面が吸込口と交差するまで搬送ポンプが搬送動作を行うため、水面に浮遊する破砕ごみを確実に吸い込むことができる。
【００２３】
また、本発明に係るディスポーザは、前記起動スイッチが、前記停止スイッチの検知位置より上の位置を、水位の検知位置としてあることを特徴とする。
【００２４】
本発明においては、水位を検知して搬送ポンプの動作のオン／オフを行う水位スイッチのうち、動作をオンする起動スイッチの検知位置を、停止スイッチの検知位置より上の位置に設定する。例えば、起動スイッチ及び停止スイッチの検知位置を同じ位置に設定した場合には、搬送ポンプのオン／オフを繰り返し行い続ける虞があるが、起動スイッチの検知位置を停止スイッチの検知位置より上に設定することでこの問題を回避できる。
【００２５】
また、本発明に係るディスポーザは、前記搬送ポンプが、搬送動作を行うためのモータを有し、該モータが前記水位スイッチの水位の検知位置より下の位置となるように、前記搬送ポンプが配設してあることを特徴とする。
【００２６】
本発明においては、搬送ポンプのモータが水位スイッチの検知位置より下の位置となるように、搬送ポンプを貯留槽内に配設する。貯留槽内の水位スイッチの検知位置より下には水が貯えられているため、搬送ポンプのモータが水に浸かり、冷却される。よって、搬送ポンプの動作に伴ってモータの温度が上昇することを防止できる。
【発明の効果】
【００２７】
本発明による場合は、破砕槽から水と共に搬送されて貯留槽内に貯えられた破砕ごみを、搬送ポンプにより外部へ搬送する場合に、破砕ごみを通過させず水を通過させるフィルターを水面に交差する方向に配設して、貯留槽を第１槽及び第２槽に分離し、破砕槽からの破砕ごみ及び水を第１槽に搬送し、搬送ポンプの動作をオン／オフする水位スイッチを第２槽に設ける構成とすることにより、水面に浮遊する破砕ごみにより水位スイッチが誤動作することがなく、搬送ポンプを所定の水位で正確に動作させることができるため、ディスポーザ内に破砕ごみが長期間にわたって滞留し、腐敗して臭気を発することを防止できる。
【００２８】
また、本発明による場合は、搬送ポンプの吸込口を第１槽に設ける構成とすることにより、フィルターにより第１槽のみに貯留された破砕ごみが、搬送ポンプの吸込口から吸い込まれて確実に外部へ搬送されるため、ディスポーザ内に破砕ごみが長期間にわたって滞留し、腐敗して臭気を発することを防止できる。
【００２９】
また、本発明による場合は、搬送ポンプの吸込口を貯留槽に貯えられた水の水面に交差するように開口させる構成とすることにより、水面に浮遊する破砕ごみを簡単に且つ確実に吸い込んで搬送することができるため、水より軽い破砕ごみが水面に長期間にわたって滞留し、腐敗して臭気を発することを防止できる。
【００３０】
また、本発明による場合は、水位を検知して搬送ポンプの動作のオン／オフを行う水位スイッチのうち、動作をオフする停止スイッチの検知位置を、搬送ポンプの吸込口の上端より下の位置とすることにより、水面が吸込口と交差するまで搬送ポンプが搬送動作を行い、水面に浮遊する破砕ごみを確実に吸い込むことができるため、水より軽い破砕ごみが水面に長期間にわたって滞留し、腐敗して臭気を発することを防止できる。
【００３１】
また、本発明による場合は、水位を検知して搬送ポンプの動作のオン／オフを行う水位スイッチのうち、動作をオンする起動スイッチの検知位置を、停止スイッチの検知位置より上の位置とすることにより、搬送ポンプの動作のオン／オフが繰り返して行われ続けることがなく、搬送ポンプを正確に動作させることができるため、ディスポーザ内に破砕ごみが長期間にわたって滞留し、腐敗して臭気を発することを防止できる。
【００３２】
また、本発明による場合は、搬送ポンプの搬送動作を行うためのモータが、水位スイッチの検知位置より下の位置となるように、搬送ポンプを貯留槽内に配設する構成とすることにより、搬送ポンプのモータが水に浸かって冷却され、搬送ポンプの動作に伴ってモータの温度が上昇することを防止できるため、搬送ポンプの熱による誤動作又は破壊等を防止でき、ディスポーザを長寿命化できる。
【発明を実施するための最良の形態】
【００３３】
以下、本発明をその実施の形態を示す図面に基づき具体的に説明する。図１は、本発明に係るディスポーザの構成を示す模式的縦断面図である。また、図２は、本発明に係るディスポーザの構成を示す模式的平面図であり、一部のみ断面を図示してある。図において１は略矩形の箱形をなす外筐であり、外筐１の内部は縦方向に配設された隔壁１ａによって破砕槽２及び貯留槽３の２つの空間に左右に二分されている。
【００３４】
破砕槽２は、上部の略前面にわたって開口する生ごみの投入口２０を備えており、投入口２０には生ごみと共に水道の蛇口１００から供給される水を投入することができるようにしてある。投入口２０には、略中央の下側へ向けて縮径するテーパ状をなし、略中央の下部に開口が形成された投入シュート２１が連設されており、破砕槽２の内部には、上部に開口を有する有底円筒型の破砕室２２が、投入シュート２１の開口に連ねて設けられている。破砕室２２の底部には、破砕槽２の底部に立設された破砕モータ２３が固定され、破砕モータ２３によって投入シュート２１及び破砕室２２は破砕槽２内に支持されている。破砕モータ２３のモータ軸は、破砕室２２の底部の略中央を貫いて突出してあり、このモータ軸には、上面に刃を有する破砕刃（図示せず）が、破砕モータ２３の回転により、破砕室２２内の水平面内で回転可能に固定してある。
【００３５】
また、破砕室２２の底部には、周面の接線方向に延びる送出管２５が、破砕室２２内に設けられた破砕刃の回転域の下位置に連設されており、送出管２５は、破砕槽２及び貯留槽３を隔てる隔壁１ａに形成された貫通孔を通して、貯留槽３内に延出し、破砕室２２及び貯留槽３が送出管２５を介して連通するようにしてある。
【００３６】
貯留槽３は、外部から隔絶された中空の槽であり、隔壁１ａと略平行に設けられたフィルター６０により第１槽３ａ及び第２槽３ｂの左右２つの槽に分離されている。即ち、フィルター６０は、貯留槽３内に破砕ごみ及び水が貯えられた場合に、水の水面に交差するように配設されている。第１槽３ａには、破砕槽２の破砕室２２に連設された送出管２５の先端が延出するようにしてあり、第２槽３ｂの底部には、水中ポンプを用いてなる搬送ポンプ３０が固定されている。なお、フィルター６０は、金属板に微細な貫通孔が多数形成された所謂パンチングメタルにより構成されており、パンチングメタルの貫通孔の大きさは、破砕槽２にて破砕された破砕ごみを通さず、水のみを通す大きさとしてある。これにより、破砕槽２から送出管２５を通して第１槽３ａに搬送された破砕ごみ及び水のうち、水のみが第２槽３ｂに浸入するようにしてある。
【００３７】
搬送ポンプ３０は、略円柱形をなす筐体内にモータを収容したモータ部３４と、モータ部３４より直径が大きく長さが短い略円柱形をなし、モータ部３４の一端に軸心をずらして連設された吸込部３５と、吸込部３５のモータ部３４に連結された側の反対側の端面に形成された吸込口３２（図３にて図示する）と、モータ部３４に並べて吸込部３５に連設され、吸込口３２に連通する吐出管３１とを備えている。なお、図１及び図２に示す搬送ポンプ３０は、図６に示した従来のディスポーザに備えられた搬送ポンプ３０と同じものであるが、貯留槽３内での配設方法が異なる。
【００３８】
図３は、搬送ポンプ３０の吸込口３２の構成を示す模式的平面図である。吸込部３５の一端面は略円形をなしており、この端面には略同心で略円形の吸込口３２が形成されている。また、吸込口３２の周縁部分には、略円柱形の棒状をなす４つの脚部３３、３３…が吸込部３５の軸心に平行に突設されている。
【００３９】
搬送ポンプ３０は、略円柱形をなすモータ部３４及び吸込部３５の軸心が貯留槽３の底面に平行となるように配されており、貯留槽３内に破砕ごみ及び水が貯えられた場合に、貯えられた水の水面と搬送ポンプ３０の吸込口３２とが交差するようにしてある。また、搬送ポンプ３０は、吸込口３２が貯留槽３の第１槽３ａに開口するように、フィルター６０に形成された穴を通して、第１槽３ａに一部を露出させた状態で第２槽３ｂ内に固定してある。即ち、図６に示した従来のディスポーザは軸心が貯留槽３の底面に垂直となるように搬送ポンプ３０が配設してあるが、図１に示す本発明に係るディスポーザは、これに対して搬送ポンプ３０を略９０°回転させて、軸心が底面に平行となるように配設したものである。
【００４０】
搬送ポンプ３０の吐出管３１は、貯留槽３の一側壁に形成された貫通孔を通して先端が外部に延出されており、延出端は逆止弁５１を介して搬送管５２に連結されている。逆止弁５１は、吐出管３１から搬送管５２へ吐出される破砕ごみ及び水が逆流することを防止するためのものである。また、搬送管５２は、例えば有機物を分解処理する処理槽に連結される。これらにより、搬送ポンプ３０の吸込口３２から吸い込まれた破砕ごみ及び水は、吐出管３１、逆止弁５１及び搬送管５２を通して、搬送管５２に接続された処理槽に搬送されるようにしてある。
【００４１】
また、貯留槽３の第２槽３ｂには、搬送ポンプ３０による破砕ごみ及び水の搬送動作のオン／オフを制御するための水位スイッチ４０が配設されている。水位スイッチ４０は、搬送ポンプ３０の搬送動作を起動するオンスイッチ４１と、搬送動作を停止するオフスイッチ４２とにより構成され、オンスイッチ４１及びオフスイッチ４２には、それぞれフロートスイッチが用いられている。フロートスイッチは、水より軽い検知部（フロート）を有しており、水面の上下にフロートが連動することにより水位を検知するものである。
【００４２】
オンスイッチ４１及びオフスイッチ４２は、上下方向に所定の間隔を隔てて、オンスイッチ４１を上側にして配設されており、また、オフスイッチ４２は、水位の検知位置が搬送ポンプ３０の吸込口３２の上端より下側の位置となるように、且つ、搬送ポンプ３０のモータ部３４より上側の位置となるように配設してある。
【００４３】
図４及び図５は、本発明に係るディスポーザの動作を説明するための説明図であり、（ａ）から（ｄ）へアルファベット順に時系列で動作を図示してある。ユーザにより投入口２０から投入された生ごみ及び水は、投入シュート２１により破砕室２２へ導かれ、破砕室２２内で破砕されて、破砕された破砕ごみ及び水が送出管２５を通して貯留槽３の第１槽３ａへ搬送される。第１槽３ａへ搬送された破砕ごみ及び水のうち、水はフィルター６０を通して第２槽３ｂへ侵入する。このとき、第２槽３ｂの水位がオフスイッチ４２の検知位置より下であれば（図４（ａ）参照）、搬送ポンプ３０は動作せず、貯留槽３内に破砕ごみ及び水が貯えられる。
【００４４】
貯留槽３内に破砕ごみ及び水が貯えられて、第２槽３ｂの水位がオンスイッチ４１の検知位置に達した場合（図４（ｂ）参照）、搬送ポンプ３０の動作が開始され、第１槽３ａに貯えられた破砕ごみ及び水が吸込口３２から吸い込まれ、吐出管３１、逆止弁５１及び搬送管５２を通して外部へ搬送される。
【００４５】
搬送ポンプ３０が動作し、貯留槽３内の破砕ごみ及び水が外部へ搬送されるに従って、貯留槽３の水位は徐々に低下し（図５（ｃ）参照）、第２槽３ｂの水位がオフスイッチ４２の検知位置に達した場合（図５（ｄ）参照）、搬送ポンプ３０の動作が停止される。オフスイッチ４２の水位の検知位置は搬送ポンプ３０の吸込口３２の上端より下の位置に設定してあるため、搬送ポンプ３０の動作停止直前には、第１槽３ａ内の水面に浮遊する軽いごみが搬送ポンプ３０により吸い込まれて外部へ搬送される。また、オフスイッチ４２の水位の検知位置は搬送ポンプ３０のモータ部３４より上の位置に設定してあるため、搬送ポンプ３０の動作が停止された場合であっても、モータ部３４は第２槽３ｂ内に貯えられた水に浸かって冷却される。
【００４６】
以上の構成のディスポーザにおいては、フィルター６０を用いて貯留槽３を第１槽３ａ及び第２槽３ｂに分離し、水位スイッチ４０を第２槽３ｂに配設する構成とすることにより、第２槽３ｂには破砕ごみが侵入することがなく、第２槽３ｂ内に配設された水位スイッチ４０が水面に浮遊する破砕ごみによって誤動作することがない。また、吸込口３２が貯留槽３の水面に交差するように搬送ポンプ３０を配設し、オフスイッチ４２の水位の検知位置を吸込口３２の上端より下の位置に設定する構成とすることにより、水面に浮遊する破砕ごみを確実に吸込口３２から吸い込んで外部へ搬送することができる。また、搬送ポンプ３０のモータ部３４がオフスイッチ４２の水位の検知位置より下側となるように搬送ポンプ３０を配設する構成とすることにより、モータ部３４が第２槽３ｂに貯えられた水に浸かって冷却される。
【００４７】
なお、本実施の形態においては、フィルター６０としてパンチングメタルを用いる構成としたが、これに限るものではなく、例えば、金属網又は合成樹脂製のネット等の他の構成のフィルターであってもよい。また、搬送ポンプ３０を第２槽３ｂ内に配設する構成としたが、これに限るものではなく、水位スイッチ４０が第２槽３ｂ内に配設されるのであれば、搬送ポンプ３０は第１槽３ａ内に配設してもよい。また、破砕槽２及び貯留槽３を隔壁１ａを隔てて近接させる構成としたが、これに限るものではなく、破砕槽２及び貯留槽３をそれぞれ別筐体として遠隔して配し、送出管を架け渡す構成であってもよい。
【図面の簡単な説明】
【００４８】
【図１】本発明に係るディスポーザの構成を示す模式的縦断面図である。
【図２】本発明に係るディスポーザの構成を示す模式的平面図である。
【図３】搬送ポンプの吸込口の構成を示す模式的平面図である。
【図４】本発明に係るディスポーザの動作を説明するための説明図である。
【図５】本発明に係るディスポーザの動作を説明するための説明図である。
【図６】従来のディスポーザの構成を示す模式的縦断面図である。
【符号の説明】
【００４９】
１  外筐
２  破砕槽
３  貯留槽
３ａ  第１槽
３ｂ  第２槽
２０  投入口
２２  破砕室
２５  送出管
３０  搬送ポンプ
３１  吐出管
３２  吸込口
３４  モータ部（モータ）
４０  水位スイッチ
４１  オンスイッチ（起動スイッチ）
４２  オフスイッチ（停止スイッチ）
５１  逆止弁
５２  搬送管
６０  フィルター
１００  蛇口
【図１】
2007209875.tif 000003
【図２】
2007209875.tif 000004
【図３】
2007209875.tif 000005
【図４】
2007209875.tif 000006
【図５】
2007209875.tif 000007
【図６】
2007209875.tif 000008